(57)【特許請求の範囲】
【請求項１】
無線通信装置が、無線周波数チャネルにおける無線周波数干渉を検出する方法であって、
前記無線通信装置において、
前記無線周波数チャネルにおいて、サンプリング時間ウィンドウにわたって時間領域のサンプルの第１のセットを収集し、
前記無線周波数チャネルで受信された、前記サンプリング時間ウィンドウより大きな相関時間期間にわたる、時間領域のサンプルの第２のセットとの、時間領域のサンプルの前記第１のセットの相互相関を実行し、
（ｉ）前記相互相関の第１の相関ピークと第２の相関ピークとが電力閾値を超え、（ｉｉ）前記相互相関の前記第２の相関ピークの前記第１の相関ピークに対する比が比の閾値を超え、かつ、（ｉｉｉ）前記相互相関における前記第２の相関ピークと前記第１の相関ピークとの間の時間が、シンボル周期に対応する場合に、前記無線周波数干渉を検出し、
前記無線周波数干渉が検出されるまで又は時間シフトされた相関時間期間の累積時間シフトが最大相関時間期間を超えるまで、前記時間シフトされた相関時間期間にわたって前記収集と前記相互相関とを繰り返す、
ことを特徴とする方法。
【請求項２】
前記サンプリング時間ウィンドウは、直交周波数分割多重（ＯＦＤＭ）シンボルのサイクリックプリフィックスに対応する時間期間にわたる、
ことを特徴とする請求項１に記載の方法。
【請求項３】
前記相関時間期間は、ロングタームエボリューション（ＬＴＥ）又はＬＴＥアドバンスドの無線通信システムのＯＦＤＭシンボルのためのシンボル期間に対応する、
ことを特徴とする請求項１に記載の方法。
【請求項４】
前記無線通信装置は、８０２．１１Ｗｉ−Ｆｉ（登録商標）無線通信プロトコルにしたがって動作し、検出される前記無線周波数干渉は、セルラ無線通信システムから受信される、
ことを特徴とする請求項１に記載の方法。
【請求項５】
前記セルラ無線通信システムは、ロングタームエボリューション（ＬＴＥ）又はＬＴＥアドバンスドの無線通信プロトコルにしたがって動作する、
ことを特徴とする請求項４に記載の方法。
【請求項６】
時間領域のサンプルが収集される連続するサンプリング時間ウィンドウのそれぞれは、当該サンプリング時間ウィンドウの長さより短い長さだけ、前のサンプリング時間ウィンドウから時間シフトされる、
ことを特徴とする請求項１に記載の方法。
【請求項７】
さらに、特定のサンプリング時間ウィンドウにおいて前記無線周波数干渉が検出された場合に、前記相関時間期間の長さの１つ以上の整数倍数だけ時間シフトされた少なくとも１つの追加の相関時間期間にわたって、前記収集と前記相互相関とを繰り返して、前記無線周波数干渉を確認する、
ことを特徴とする請求項１に記載の方法。
【請求項８】
さらに、前記無線周波数干渉が検出された場合に、少なくとも第１の時間期間の間、前記無線周波数チャネルを介した通信を抑制する、
ことを特徴とする請求項１に記載の方法。
【請求項９】
さらに、無線周波数干渉が検出されず、前記無線通信装置が以前に前記無線周波数チャネルにおける通信を抑制した場合に、少なくとも第２の時間期間の間、前記無線周波数チャネルを介した通信を許可する、
ことを特徴とする請求項１に記載の方法。
【請求項１０】
前記無線周波数チャネルは、非ライセンス無線周波数帯域の複数の無線周波数チャネルのうちの１つである、
ことを特徴とする請求項１に記載の方法。
【請求項１１】
無線周波数チャネルにおいて無線周波数干渉を検出するように設定可能な無線通信装置であって、
非ライセンス無線周波数帯域の１つ以上の無線周波数チャネルを用いて通信するように設定可能な少なくとも１つの通信インタフェースと、
記憶媒体と通信に関して接続される少なくとも１つのプロセッサを有する処理回路と、
干渉検出モジュールであって、
前記無線周波数チャネルから、サンプリング時間ウィンドウにわたって時間領域のサンプルの第１のセットを収集し、
前記無線周波数チャネルで受信された、前記サンプリング時間ウィンドウより大きな相関時間期間にわたる、時間領域のサンプルの第２のセットとの、時間領域のサンプルの前記第１のセットの相互相関を実行し、
（ｉ）前記相互相関の第１の相関ピークと第２の相関ピークとが電力閾値を超え、（ｉｉ）前記相互相関の前記第２の相関ピークと前記第１の相関ピークとの間の時間が、シンボル周期に対応することを含む相関の条件のセットが満たされる場合に、前記無線周波数干渉を検出する、
ことによって、前記無線通信装置に前記無線周波数干渉を検出させるように設定可能な干渉検出モジュールと、
を有する無線通信装置。
【請求項１２】
前記相関の条件のセットは、さらに、前記相互相関の前記第２の相関ピークの前記第１の相関ピークに対する比が比の閾値を超えることを含む、
を特徴とする請求項１１に記載の無線通信装置。
【請求項１３】
前記干渉検出モジュールは、さらに、無線周波数干渉が前記サンプリング時間ウィンドウにわたって検出されない場合、前記無線周波数干渉が検出されるまで又は時間シフトされた相関時間期間の累積時間シフトが最大相関時間期間を超えるまで、前記時間シフトされた相関時間期間にわたって前記収集と前記相互相関とを繰り返すことによって、前記無線通信装置に前記無線周波数干渉を検出させる、
ことを特徴とする請求項１１に記載の無線通信装置。
【請求項１４】
前記サンプリング時間ウィンドウは、ロングタームエボリューション（ＬＴＥ）又はＬＴＥアドバンスドの無線通信システムのためのＯＦＤＭシンボルのサイクリックプリフィックスに対応する時間期間にわたる、
ことを特徴とする請求項１１に記載の無線通信装置。
【請求項１５】
前記相関時間期間は、ロングタームエボリューション（ＬＴＥ）又はＬＴＥアドバンスドの無線通信システムのＯＦＤＭシンボルのためのシンボル期間に対応する、
ことを特徴とする請求項１１に記載の無線通信装置。
【請求項１６】
前記無線通信装置は、８０２．１１Ｗｉ−Ｆｉ（登録商標）無線通信プロトコルにしたがって動作し、検出される前記無線周波数干渉は、ロングタームエボリューション（ＬＴＥ）又はＬＴＥアドバンスドの無線通信プロトコルにしたがって動作する、セルラ無線通信システムから受信される、
ことを特徴とする請求項１１に記載の無線通信装置。
【請求項１７】
前記干渉検出モジュールは、さらに、特定のサンプリング時間ウィンドウにおいて前記無線周波数干渉が検出された場合に、前記相関時間期間の長さの１つ以上の整数倍数だけ時間シフトされた少なくとも１つの追加の相関時間期間にわたって、前記収集と前記相互相関とを繰り返して、前記無線周波数干渉を確認することによって、前記無線通信装置に前記無線周波数干渉を検出させる、
ことを特徴とする請求項１１に記載の無線通信装置。
【請求項１８】
前記記憶媒体は、前記処理回路によって実行されるときに、前記無線通信装置に、前記無線周波数干渉が検出された場合、少なくとも第１の時間期間の間、前記無線周波数チャネルを介した通信を抑制させる命令を記憶する、
ことを特徴とする請求項１１に記載の無線通信装置。
【請求項１９】
前記記憶媒体は、前記処理回路によって実行されるときに、前記無線通信装置に、無線周波数干渉が検出されず、前記無線通信装置が以前に前記無線周波数チャネルにおける通信を抑制した場合、少なくとも第２の時間期間の間、前記無線周波数チャネルを介した通信を許可させる命令を記憶する、
ことを特徴とする請求項１１に記載の無線通信装置。
【請求項２０】
無線通信装置の１つ以上のプロセッサによって実行されるときに、前記無線通信装置に、
非ライセンス無線周波数帯域の無線周波数チャネルにおいて、サンプリング時間ウィンドウにわたって時間領域のサンプルの第１のセットを収集させ、
前記無線周波数チャネルで受信された、前記サンプリング時間ウィンドウより大きな相関時間期間にわたる、サンプルの第２のセットとの、時間領域のサンプルの前記第１のセットの相互相関を実行させ、
（ｉ）前記相互相関の第１の相関ピークと第２の相関ピークとが電力閾値を超え、（ｉｉ）前記相互相関の前記第２の相関ピークと前記第１の相関ピークとの間の時間が、セルラ無線通信プロトコルにしたがった通信のためのシンボル周期に対応することを含む相関の条件のセットが満たされる場合に、前記非ライセンス無線周波数帯域の前記無線周波数チャネルに無線周波数干渉が存在すると判定させる、
命令を記憶するコンピュータ可読媒体。
【発明の詳細な説明】
【技術分野】
【０００１】
説明される実施形態は、一般に無線通信技術に関し、より具体的には、セルラのロングタームエボリューション（ＬＴＥ）によって生成され、無線ローカルエリアネットワーク装置によって受信される干渉の検出とその軽減に関する。
【背景技術】
【０００２】
無線ネットワークは、インターネットを介して運ばれうるビデオトラフィック、ウェブブラウンジングトラフィック、及び他のデータトラフィックなどの、インターネットトラフィックの指数的な増加に直面している。インターネットトラフィックの継続的な増加は、より広い帯域幅、より大きい無線周波数の範囲、及びより高いスループットデータレートに対応できる新しい無線通信プロトコルの開発を加速させている。セルラネットワークを介した通信に対するコストとデータトラフィックとの少なくともいずれかの限界を考えると、ユーザは、「無料の」無線ローカルエリアネットワーク（ＷＬＡＮ）、加入に基づくＷＬＡＮ、オペレータが提供するＷＬＡＮの少なくともいずれかを介して通信することを希望し得る。ＷＬＡＮアクセスは、通常、使用に基づく課金を前提としておらず、したがって、ユーザは、一般に、データトラフィックの上限を超えることについて心配することなしに、ＷＬＡＮを使用することができる。通常ＷＬＡＮが動作する非ライセンス無線周波数帯域では、現在のところセルラ無線通信装置は動作しないが、現在ＷＬＡＮによって占められている非ライセンス無線周波数帯域内の無線周波数チャネルを用いることにより、セルラ伝送のための帯域幅を追加しようとする標準化の取り組み及び調査が開始されている。特に、５ＧＨｚの無線周波数帯域が、キャリアアグリゲーションモードにおけるセカンダリキャリアＬＴＥ伝送を提供するための対象とされている。ＷＬＡＮの性能を維持するためには、ＷＬＡＮシステムは、ＷＬＡＮ信号と重畳し得るセルラ通信システムからの無線周波数の干渉の効果を検出して軽減することができる必要がある。
【発明の概要】
【課題を解決するための手段】
【０００３】
セルラネットワーク及びＷＬＡＮの両方で動作できる無線通信装置は、通常、ＷＬＡＮ無線及びセルラ無線が同時にアクティブな場合であっても、利用可能であればＷＬＡＮを介してデータトラフィックを通信するように構成される。無線アクセスポイント及び無線クライアント（移動局）装置は、「非ライセンス」無線周波数帯域を含む様々な無線周波数帯域における使用可能な周波数帯域幅が変動する複数の異なる無線周波数チャネルを用いて、異なる無線周波数帯域を並行して使用する複数の無線ローカルエリアネットワーク通信プロトコルを介した通信に対応することができる。ＷＬＡＮ装置による並行しての様々な無線周波数帯域における様々な無線周波数チャネルのフレキシブルな使用は、無線周波数の重畳する信号を送信し得るＬＴＥ又は他のセルラシステムを含む様々な外部通信システムからの無線周波数干渉の効果的な検出を要求する。無線周波数の重畳する信号が検出されない場合又は最小限の無線周波数の重畳する信号が検出された場合、無線通信装置は、通信用の無線周波数チャネルを選択することができるが、ＷＬＡＮであろうと、セルラであろうと、マルチモード装置であろうと、他の無線通信装置が、同一の周波数帯域における同一の周波数チャネルを用いて通信する場合、無線通信装置は、その共有された無線周波数チャネルにおいて現れうる無線周波数干渉を回避し、補償し、又は回避しながら補償するための、共存干渉軽減技術を適用することができる。
【０００４】
ＷＬＡＮ装置は、ＬＴＥシステムが同一の無線周波数チャネルを占めているかを判定するため、無線周波数チャネルにおける受信無線周波数信号の時間ウィンドウ（セグメント）の相関を実行する。ＷＬＡＮ装置は、例えば、アクセスポイントに関連付けられるための無線周波数チャネルを決定するために、又は、共有された無線周波数チャネルでの同時の送信と受信との少なくともいずれかを避けるためのＣＳＭＡ機構への拡張の一部として、無線周波数スキャニング手順の間その相関を実行する。ＬＴＥセルラシステムが無線周波数帯域内の無線周波数チャネルのサブセットを使用する場合、ＷＬＡＮ装置は、ＬＴＥセルラシステムの存在を検出して、ＬＴＥセルラシステムからの無線周波数干渉のない可能性がある、その無線周波数帯域における他の無線周波数チャネルへ切り替える。ＬＴＥセルラシステムがその無線周波数帯域の無線周波数チャネルのいずれをも占めている場合、ＷＬＡＮ装置は、その無線周波数チャネルにおけるアクティブなセルラ伝送の存在を検出し、占められていない又は占められている度合が低いかもしれない他の無線周波数チャネルへ切り替えるか、ある期間待ってその現在占められている無線周波数チャネルを用いた通信を試行する前に再び観測を行う。いくつかの実施形態では、ＷＬＡＮ装置は、非ライセンス無線周波数帯域における１つ以上の無線周波数チャネルを共有する任意の無線システムからの、比較的高いレベルの、例えば、−６２ｄＢｍ以上の電力レベルの無線周波数干渉を検出するための電力検出機構を使用する。ＷＬＡＮ装置は、ＬＴＥセルラシステムからの、比較的低いレベルの、例えば、ＷＬＡＮ装置によって観測される雑音及び干渉レベルより約５−１０ｄＢ又はそれ以上だけ超えるレベルの、例えば、約−８５ｄＢｍから−６５ｄＢｍまたはそれ以上に広がる電力レベルの無線周波数干渉を検出するための、相関機構を使用する。相関機構は、その存在を検出するのに、ＷＬＡＮ装置がＬＴＥ信号を復号することを要求せずに、ＬＴＥセルラシステムの伝送の構造を利用する。電力検出機構と相関機構との組み合わせを用いて、ＷＬＡＮ装置は、ＬＴＥ信号とＷＬＡＮパケットとの間の衝突の発生を削減することができ、それにより、ＬＴＥシステム及びＷＬＡＮシステムの両方のためのよりクリアな伝送を提供することができる。
【０００５】
本要約は、ここで説明される題材のいくつかの態様の基礎的な理解を与えるために、いくつかの例の実施形態をまとめる目的でのみ与えられている。したがって、上述の特徴は例に過ぎず、決してここで説明される題材の範囲又は精神を狭めるように解釈されるべきでないことが理解されるだろう。ここで説明される題材の他の特徴、態様、及び利点は、以下の詳細な説明、図面及び特許請求の範囲から明らかになるだろう。
【０００６】
説明される実施形態及びその利点は、添付の図面と併せて以下の説明を参照することにより、最も良く理解されうる。これらの図面は、説明される実施形態の精神及び範囲から離れることのない、当業者によって説明される実施形態に対してなされうる、形式又は詳細の変更を何ら制限するものではない。
【図面の簡単な説明】
【０００７】
【図１Ａ】、
【図１Ｂ】、
【図１Ｃ】、
【図１Ｄ】、
【図１Ｅ】いくつかの実施形態に従う無線通信システムによる使用のための、異なる非ライセンス無線周波数帯域における並列的な無線周波数チャネルの典型的なセットを示す図。
【図２Ａ】、
【図２Ｂ】いくつかの実施形態に従う無線周波数共存干渉を含む典型的な無線通信システムを示す図。
【図３】いくつかの実施形態に従う無線通信プロトコルフレーム構造及び相関プロファイルを示す図。
【図４】いくつかの実施形態に従う無線周波数干渉検出のための典型的な相関手法を示す図。
【図５】いくつかの実施形態に従う無線周波数干渉を検出するための典型的な方法のフローチャート。
【図６】いくつかの実施形態に従う無線周波数干渉を検出するための無線通信装置に含まれる要素の典型的なセットを示す図。
【発明を実施するための形態】
【０００８】
無線ローカルエリアネットワークは、クライアント装置の集合とアクセスポイントとの間の（又は、「アドホック」ピアツーピアモードでは、専用のアクセスポイントなしで互いの）通信を提供して、ベーシックサービスセット（ＢＳＳ）を形成する。ＢＳＳでは、８０２．１１無線ローカルエリアネットワーク、例えばＷｉ−Ｆｉ（登録商標）ネットワークに対して定義されるように、固有のＢＳＳ識別子（ＢＳＳＩＤ）を用いることができ、そのアクセスポイントに関連付けられた全てのクライアント装置は、共通の無線周波数チャネルを用いてアクセスポイントと（又は互いに）通信することができる。アクセスポイント及びクライアント装置によって使用される無線周波数チャネルは、例えば、信号強度及び無線周波数干渉を含む無線周波数チャネルの状態における変化を考慮するために、時間によって変更することができる。クライアント装置とアクセスポイントとの少なくともいずれかは、通信するのに適切な無線周波数チャネルを決定するために、１つ以上の無線周波数帯域における１つ以上の無線周波数チャネルを監視することができる。クライアント装置は、ある無線周波数チャネルにおいてアクセスポイントと関連付けられることができ、その無線周波数チャネルにおいて送信を試みる前に、アクセスポイントとクライアント装置との少なくともいずれかは、「キャリアセンス多元接続」として知られる手順を用いて、その無線周波数チャネルを既に占めている場合がある他の近傍の無線通信装置を観測する（listen for）ことができる。用語「キャリアセンス」は、ＷＬＡＮ装置によって「センスされる」又は「スキャンされる」無線周波数で送信されるＷＬＡＮパケットのプリアンブルの検出と復号との少なくともいずれかを行う、そのＷＬＡＮ装置（クライアントまたはＡＰ）を参照することができる。他のクライアント装置又はアクセスポイントが既にその無線周波数チャネルを使用している場合、無線通信装置の観測は、その無線周波数チャネルがその無線通信装置による通信に利用可能であるかを判定するための再度の観測の前に、ランダムな時間間隔の間、「バックオフ」することができる。セルラ通信システムは、ネットワークエレメント、例えばエボルブドノードＢ（又は他の同等の基地局システム）によって割り当てられた無線リソースのスケジュールに基づいて動作し、無線周波数チャネルのセットを、多くの無線通信装置の間で、非常に効率的に共有することができる。並列的な無線リソースがスケジューリングされない無線通信装置、例えば、セルラ通信システムと重なる無線周波数チャネルを使用するＷＬＡＮクライアント装置とアクセスポイントとの少なくともいずれか、は、無線周波数干渉が低い（例えば、ノイズフロアレベル以下である）か、無線周波数干渉がない（例えばセルラ通信の間の時間区間の間）か、の少なくともいずれかの場合に、有効に送信することができる。近年、ＬＴＥ及びＬＴＥアドバンスド無線通信プロトコルを含む、無線セルラ通信プロトコルをドラフトし、承認し、発行する無線通信標準化の主体、例えば第３世代パートナーシッププロジェクト（３ＧＰＰ）標準化グループ、は、ＬＴＥ技術の使用を、非ライセンス無線周波数帯域、具体的には、��ＧＨｚの非ライセンス帯域、へ拡張することを研究するスタディグループを承認した。多くの世代のＷＬＡＮシステム及び無線パーソナルエリアネットワーク（ＷＰＡＮ）システムは、通信に２．４ＧＨｚ及び５ＧＨｚの非ライセンス無線周波数帯域を使用しており、既存のＷＬＡＮとＷＰＡＮとの少なくともいずれかの無線周波数チャネルと重なる１０ＭＨｚ幅と２０ＭＨｚ幅の無線周波数チャネルを占めうる、提案されたＬＴＥ信号によって生成された無線周波数干渉によって著しく影響を受けうる。
【０００９】
いくつかの実施形態では、ＷＬＡＮクライアント装置とＷＬＡＮアクセスポイントとの少なくともいずれかは、ＬＴＥシステムが同一の無線周波数チャネルを占めているかを判定するために、無線周波数チャネルにおける受信無線周波数信号の時間ウィンドウ（セグメント）の相関を実行することができる。ＷＬＡＮクライアント装置は、例えば、アクセスポイントと関連付けられる無線周波数チャネルを決定するために、又はＬＴＥシステムと共有される無線周波数チャネルにおける同時の送信と受信との少なくともいずれかを避けるためのＣＳＭＡ機構に対する拡張の一部として、無線周波数スキャニング手順と併せてその相関を実行することができる。ＬＴＥセルラシステムが無線周波数帯域内の無線周波数チャネルのサブセットを使用している場合、ＷＬＡＮクライアント装置とＷＬＡＮアクセスポイントとの少なくともいずれかは、ＬＴＥセルラシステムの存在を検出し、ＬＴＥセルラシステムからの無線周波数干渉がない可能性がある、その無線周波数帯域内の他の無線周波数チャネルへ切り替えることができる。ＬＴＥセルラシステムは、その無線周波数帯域の無線周波数チャネルのいずれをも占めている場合、ＷＬＡＮクライアント装置とＷＬＡＮアクセスポイントとの少なくともいずれかは、その無線周波数チャネルにおけるアクティブなセルラ伝送の存在を検出することができ、占められていない又は占められている度合の低い可能性がある他の無線周波数チャネルへ切り替えること、又は、ある時間期間だけ待って、現在占められている無線周波数チャネルを用いた通信を試行する前に観測を行うことができる。
【００１０】
ＷＬＡＮクライアントとＷＬＡＮアクセスポイントとの少なくともいずれかは、評価される１つ以上の無線周波数チャネルに存在する無線周波数干渉のレベルに基づいて、例えば、より高いレベルの無線周波数干渉を特定するための電力検出機構を用いると共に、より低いレベルの、例えば、雑音閾値レベルよりは高いが電力検出機構のためのレベルよりは低い、無線周波数干渉を特定するための、相関機構を用いて、干渉するシステムの存在を検出するための様々な機構を用いることができる。いくつかの実施形態では、ＷＬＡＮクライアントとＷＬＡＮアクセスポイントとの少なくともいずれかは、ＬＴＥセルラシステムを含む、非ライセンス無線周波数帯域において無線周波数チャネルを共有する任意の無線システムからの、相対的に高いレベルの、例えば、−６２ｄＢｍ以上の電力レベルの無線周波数干渉を検出するために電力検出機構を用いることができる。いくつかの実施形態では、ＷＬＡＮクライアントとＷＬＡＮアクセスポイントとの少なくともいずれかは、相対的に低いレベルの、例えば、約５−１０ｄＢまたはそれ以上だけ、ＷＬＡＮ装置によって観測される雑音プラス干渉レベルより上の、ＬＴＥセルラシステムからの無線周波数干渉を検出するために、相関機構を用いることができる。ＷＬＡＮクライアント装置とＷＬＡＮアクセスポイントとの少なくともいずれかにおける典型的なノイズフロアは、約−９０から−９５ｄＢｍの電力レベルでありえ、ＷＬＡＮクライアント装置とＷＬＡＮアクセスポイントとの少なくともいずれかは、約−８５から−６５ｄＢｍまたはそれ以上の範囲の電力レベルで、無線周波数チャネルにおけるセルラＬＴＥシステムの存在を検出することができる。相関機構は、ＷＬＡＮクライアントとＷＬＡＮアクセスポイントとの少なくともいずれかがＬＴＥ信号を復号することを要求せずに、ＬＴＥセルラシステムの送信の構造をその存在の検出に利用することができる。説明される検出機構を用いて、ＷＬＡＮクライアントとＷＬＡＮアクセスポイントとの少なくともいずれかは、重畳する無線周波数チャネルにおけるＬＴＥ信号の存在を検出することができると共に、ＬＴＥ信号とＷＬＡＮパケットとの間の衝突の発生を低減することができ、それにより、共有される無線周波数帯域において、ＬＴＥシステムとＷＬＡＮシステムとの両方のためのよりクリアな伝送を提供することができる。１つ以上の無線周波数チャネルにおいてＬＴＥ信号の存在を検出するＷＬＡＮアクセスポイントは、例えば拡張された時間期間とランダム時間期間との少なくともいずれかの間、又は、無線周波数チャネルに１つ以上のＬＴＥシステムからの無線周波数干渉が「ない」と判定するまで、そのような無線周波数チャネルの使用を避けることができる。
【００１１】
ここで説明される様々な実施形態によれば、用語「無線通信装置」「無線装置」「移動体装置」「移動局」「ユーザ端末」（ＵＥ）は、ここでは、本開示の様々な実施形態に関連付けられた手順を実行することができうる、１つ以上の共通のコンシューマ電子機器を説明するのに交換可能に用いられうる。様々な実装によれば、これらのコンシューマ電子機器のいずれもが、携帯電話若しくはスマートフォン、タブレットコンピュータ、ラップトップコンピュータ、ノートブックコンピュータ、パーソナルコンピュータ、ネットブックコンピュータ、メディアプレイヤ装置、電子ブック装置、ＭｉＦｉ（商標）装置、ウェアラブルコンピューティング装置、及び、無線ワイドエリアネットワーク（ＷＷＡＮ）、無線メトロエリアネットワーク（ＷＭＡＮ）、無線ローカルエリアネットワーク（ＷＬＡＮ）、無線パーソナルエリアネットワーク（ＷＰＡＮ）、近距離通信（ＮＦＣ）、セルラ無線ネットワーク、第４世代（４Ｇ）ＬＴＥ、ＬＴＥアドバンスド（ＬＴＥ−Ａ）、又は５Ｇ若しくは他の既存の若しくは将来開発されるアドバンスドセルラ無線ネットワークの少なくともいずれかの通信に使用されるような、１つ以上の無線通信プロトコルを介した通信含みうる無線通信能力を有する任意の他の種別の電子計算装置に関連し得る。いくつかの実施形態では、ステーション、クライアント無線装置、クライアント無線通信装置とも呼ばれうるクライアント装置であって、例えばＷＬＡＮの一部としてアクセスポイント（ＡＰ）に相互接続されるか、又は、例えばＷＰＡＮの一部として若しくは「アドホック」無線ネットワークの一部としての少なくともいずれかにおいて互いに相互接続されるかの少なくともいずれかである、クライアント装置のセットを含むことができる、無線通信システムの一部としても、無線通信装置は動作し得る。いくつかの実施形態では、クライアント装置は、ＷＬＡＮ技術を介して、例えば、無線ローカルエリアネットワーク通信プロトコルに従って通信することができる任意の無線通信装置でありうる。いくつかの実施形態では、ＷＬＡＮ技術は、Ｗｉ−Ｆｉ（登録商標）（又はより一般的にＷＬＡＮ）無線通信サブシステム又は無線機を含んでもよく、Ｗｉ−Ｆｉ（登録商標）無線機は、ＩＥＥＥ８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、又は他の既存の又は将来開発されるＩＥＥＥ８０２．１１技術の１つ以上などの、米国電気電子学会（ＩＥＥＥ）８０２．１１技術を実装し得る。
【００１２】
図１Ａから１Ｅは、いくつかの実施形態による無線ローカルエリアネットワーク（ＷＬＡＮ）システムによって使用可能な無線周波数チャネルのセットを図解している。無線通信システムは、アクセスポイント（ＡＰ）に相互接続されるステーション、クライアント無線装置又はクライアント無線通信装置とも呼ばれうるクライアント装置のセットを含みうる。クライアント装置は、無線ローカルエリアネットワーク（ＷＬＡＮ）技術を介して、例えば、無線ローカルエリアネットワーク通信プロトコルに従って、通信することができる任意の無線通信装置でありうる。いくつかの実施形態では、ＷＬＡＮ技術は、Ｗｉ−Ｆｉ（登録商標）（又はより一般的にＷＬＡＮ）無線通信サブシステム又は無線機を含んでもよく、Ｗｉ−Ｆｉ（登録商標）無線機は、ＩＥＥＥ８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、又は他の既存の又は将来開発されるＩＥＥＥ８０２．１１技術の１つ以上などの、米国電気電子学会（ＩＥＥＥ）８０２．１１技術を実装し得る。８０２．１１Ｗｉ−Ｆｉ（登録商標）通信プロトコルは、産業科学医療用（ＩＳＭ）無線周波数帯域、例えば２．４から２．５ＧＨｚ及び例えば約４．９から５．８ＧＨｚに及ぶ「５ＧＨｚ」の無線周波数帯域における無線周波数スペクトルを利用する。「より高い」無線周波数帯域は、より多くの帯域幅とより高いデータレートとを提供する、より広い無線周波数チャネルを与えうる。「より低い」無線周波数帯域は、より低いパスロスに起因するより広いカバレッジエリア、したがってより大きい範囲を与えうる。通常、ＷＬＡＮクライアント装置およびＷＬＡＮアクセスポイントは、１つ又は両方の無線周波数帯域において動作する能力を提供する。追加の無線周波数帯域が将来の使用のために啓作されており、例えば、超短波（ＶＨＦ）及び極超短波（ＵＨＦ）帯域、すなわち、６００ＭＨｚ付近及び３．５ＧＨｚに近い周波数における、テレビの「ホワイトスペース」のものを含む、追加の無線周波数帯域を使用するための無線通信プロトコル標準が開発されている。ＷＬＡＮクライアント装置およびＷＬＡＮアクセスポイントが使用する無線周波数チャネルは、（例えば、図１Ａ、図１Ｂ、図１Ｄ、及び図１Ｅに示されるように）約２０−２２ＭＨｚの無線周波数帯域幅から、（例えば、図１Ｃ及び図１Ｅに示されるように）４０ＭＨｚの無線周波数帯域幅に、（例えば、図１Ｅに示されるように）８０ＭＨｚ及び１６０ＭＨｚの無線周波数帯域幅に及びうる。より高い帯域幅の無線周波数チャネルは、より高いデータレートのスループットを与えうるが、他の無線システムから、ＷＬＡＮ無線周波数チャネルの全て又は一部と重なり得る送信からのより多くの無線周波数干渉の影響を受けやすくもなりうる。
【００１３】
図２Ａは、無線通信装置２０２Ａがセルラ無線通信プロトコルを用いて同時に通信し、例えば、ＷＬＡＮアクセスポイント２０４から受信もしながらセルタワー（基地局）２０６へ送信することができる無線通信システム２００を図解している。ＷＬＡＮアクセスポイント２０４及び無線装置２０２Ａ並びに２０２Ｂは、特定の無線周波数チャネルを使用するＷＬＡＮを形成することができる。無線装置２０２Ａが同一の無線周波数チャネルで又はＷＬＡＮ無線周波数チャネルと重なる無線周波数チャネルで送信する場合、無線装置２０２Ａの受信器は、「装置内」共存無線周波数干渉に直面し得る。いくつかの実施形態ではセルラの送信器及びＷＬＡＮ受信器が無線装置２０２Ａ内に配置されるため、ＷＬＡＮ受信器とセルラ送信器との少なくともいずれかは、例えば、削減されたセルラ送信器からＷＬＡＮ受信器への無線周波数干渉を与えるために重なる時間を最小化することにより、「装置内」共存無線周波数干渉の影響を軽減するための作用を行い得る。しかしながら、無線周波数干渉は、図２Ｂの無線通信システム２１０によって示されるように、２つの異なる無線装置の間又は（例えば、ＷＬＡＮ２０４と同一の無線装置２０２Ｂと通信する）セルラ無線ネットワークのアクセスネットワーク機器からも生じうる。近傍の無線装置２０２Ａのセルラ送信器は、それ自身のＷＬＡＮ受信器にのみならず、他の無線装置、例えば無線装置２０２Ａのセルラ送信器によって占められるのと同一の又は重なる無線周波数チャネルとの少なくともいずれかを用いて、ＷＬＡＮアクセスポイント２０４と通信をしようとしうる無線装置２０２ＢのＷＬＡＮ受信器にも干渉しうる。同様に、例えば無線装置２０２Ｂを含む１つ以上の無線装置と通信するセルタワー（基地局）２０６のセルラ送信器は、セルタワー（基地局）２０６のセルラ送信器によって使用されるのと同一の若しくは重なる又はその両方の無線周波数チャネルを用いてＷＬＡＮアクセスポイント２０４と通信しようとする、無線装置２０２Ｂにおける共存干渉を引き起こし得る。いくつかの実施形態では、無線装置２０２Ｂは、ＷＬＡＮアクセスポイント２０４及びセルラ無線ネットワークのセルタワー（基地局）２０６の両方から信号を受信しようとし得る。ＷＬＡＮアクセスポイント２０４及びセルタワー（基地局）２０６の両方が、例えば非ライセンス無線周波数帯域において、同一の無線周波数チャネルと１つ以上の重なる無線周波数チャネルを用いる場合、（例えば、別個の並列の無線回路を用いた）ＷＬＡＮアクセスポイント２０４とセルタワー２０６との少なくともいずれかからの信号の無線装置２０２Ｂによる受信は、互いに干渉し得る。ここでさらに説明するように、無線装置２０２Ｂの受信器は、ＷＬＡＮ通信に用いられる同一の無線周波数チャネルにオーバーラップするか使用するかの少なくともいずれかであるセルタワー（基地局）２０６からなどの、近傍のセルラ送信器から無線周波数信号を観測して検出することができ、並列の重なるセルラ送信からの検出された無線周波数干渉の効果を最小化と軽減との少なくともいずれかをしようとすることができる。
【００１４】
例えば、キャリアセンス多元接続（ＣＳＭＡ）プロトコルに基づく典型的なＷＬＡＮ通信システムでは、無線クライアント装置、例えば２０２Ａ又は２０２Ｂは、到来したＷＬＡＮパケットを復号して、その宛先を判定することができる。ＷＬＡＮ通信システムにおける通信は「スケジューリングされな」くてもよいため、任意の到来したＷＬＡＮパケットは、無線クライアント装置２０２Ａ／Ｂに宛てられうる。いくつかの実施形態では、無線クライアント装置２０２Ａ／Ｂは、ＷＬＡＮパケットのプリアンブルを検出して復号することができ、それをすることにより、無線クライアント装置２０２Ａ／Ｂは、（「媒体」とも呼ばれうる）無線周波数チャネルが他のＷＬＡＮクライアント装置による通信のために占められているかを判定することができる。ＷＬＡＮ通信プロトコルは、ＣＳＭＡ機構を適切に実行するために、−８２ｄＢｍ以上のレベルの信号が、ＷＬＡＮクライアント装置２０２Ａ／Ｂ及びＷＬＡＮアクセスポイント２０４によって検出可能であると共に復号可能であることを要求しうる。典型的なＷＬＡＮクライアント装置２０２Ａ／Ｂでは、−９０ｄＢｍ以上のレベルのＷＬＡＮ信号が検出されうると共に復号されうる。しかしながら、検出及び復号は、検出のためのＷＬＡＮパケットの最初のプリアンブルの存在に依存する可能性があり、プリアンブルなしでは、ＷＬＡＮクライアント装置２０２Ａ／Ｂは、代わりに、無線周波数干渉源の存在を判定するのに、単純な電力検出機構に依存し得る。
【００１５】
ＷＬＡＮ通信プロトコルは、ＷＬＡＮクライアント装置２０２Ａ／Ｂによって−６２ｄＢｍ以上のレベルの電力を有する無線信号を検出可能であることを要求し得る。この検出可能な電力レベルは、復号可能でありうるか又は復号可能ではないかもしれない、検出のためのプリアンブルを含むフォーマットされたパケットに対する復号可能なレベルより十分に高い、無線周波数信号のためのものである。−６２ｄＢｍ以上の受信信号強度表示（ＲＳＳＩ）レベルの測定とも呼ばれうる、干渉する無線信号の電力を検出すると、ＷＬＡＮクライアント装置２０２Ａ／Ｂは、無線周波数チャネルが「ビジー」であることを認識することができ、それ以外では「占められており」、将来の「クリア」な送信時間を待つことができる。ＷＬＡＮクライアント装置２０２Ａ／Ｂは、このように、無線周波数チャネルにおける「キャリア」の存在を「センス」することができ、その無線周波数チャネルを用いて他のＷＬＡＮ装置へ「フェアな」アクセスを与えることができる。しかしながら、電力検出機構は、プリアンブル検出機構が非常に低い受信信号電力レベルで良好に動作するのに対して、相対的に高い受信信号電力レベルを要求する。
【００１６】
ＷＬＡＮシステムが用いるようには、パケット構造においてＬＴＥセルラシステムはプリアンブルを用いないため、ＷＬＡＮクライアント装置２０２Ａ／Ｂは、ＷＬＡＮクライアント装置２０２Ａ／Ｂが使おうとしている無線周波数チャネルにおいて又は重なって送信される、ＬＴＥ信号の検出と復号との少なくともいずれかを行うことができない場合がある。−８２ｄＢｍと−６２ｄＢｍとの間の無線周波数信号電力レベルを有するＬＴＥパケットは、標準技術を用いて、例えば、電力検出機構を用いることにより、ＷＬＡＮクライアント装置２０２Ａ／Ｂによって検出不能でありえ、ＬＴＥ通信システムとＷＬＡＮ通信システムとの両方は、同一の無線周波数チャネルを同時に占めようとする場合、無線周波数干渉の影響を受けやすい可能性がある。ＬＴＥ通信システムとＷＬＡＮ通信システムとの少なくともいずれかのための無線パケットは、適切な検出及び「バックオフ」が採用されない限り、無線周波数干渉によって破損されうる。
【００１７】
いくつかの実施形態では、ＷＬＡＮクライアント装置２０２Ａ又は２０２ＢとＷＬＡＮ  ＡＰ２０４との少なくともいずれかは、ＬＴＥセルラシステムの存在を検出するために、ある無線周波数帯域における（又は複数の無線周波数帯域における）１つ以上の無線周波数チャネルをスキャンすることができる。ＷＬＡＮ装置は、ＬＴＥセルラシステムの送信と非同期でありうる、受信無線周波数時間領域信号のサンプルのセットを収集することができる、いくつかの実施形態では、ＷＬＡＮ装置は、ＬＴＥセルラシステムによる送信に使用されるサンプリングレートと比べて、少なくとも２から４の係数で、受信無線周波数信号を「オーバーサンプル」することができる。ＷＬＡＮ装置は、無線周波数信号の時間領域サンプルの第１のセットを、ある実施形態では、ＬＴＥセルラシステムにおける直交周波数分割多重（ＯＦＤＭ）シンボルのサイクリックプリフィックスに用いられる時間期間に亘り得る、サンプリング時間ウィンドウにわたって収集することができる。いくつかの実施形態では、無線周波数信号サンプルの第１のセットは、ＬＴＥセルラシステムのＯＦＤＭシンボルに使われるサイクリックプリフィックスの長さに対応し得る、少なくとも４．７マイクロ秒と５．２マイクロ秒との少なくともいずれかの時間期間にわたる。ＷＬＡＮ装置は、無線周波数信号サンプルの第１のセットの、サンプリング時間ウィンドウより長い相関時間期間にわたる無線周波数信号サンプルの第２のセットとの相互相関を実行することができる。いくつかの実施形態では、相関時間期間は、（サイクリックプリフィックスを除く）ＯＦＤＭシンボルに用いられる時間期間にわたる。ＯＦＤＭシンボルの、この、より長い時間期間は、「有用な」ＯＦＤＭシンボル時間期間とも呼ばれうる。ＷＬＡＮ装置は、無線周波数信号サンプルの第１のセットの、無線周波数信号サンプルの第２のセットとの相互相関が２つ（以上）の十分に高い、例えば閾値レベルを超える大きさの相関ピークを形成するかを判定することができる。ＷＬＡＮ装置は、相関ピークのペアがＯＦＤＭシンボルの時間期間だけ離れているかを判定することもできる。ＷＬＡＮ装置は、例えば、第２の相関ピークの大きさが第１の相関ピークの大きさの９０％に等しいか又はそれを超えるかを判定するために、第２の相関ピークの第１の相関ピークに対する比が比の閾値を超えるかを判定することができる。いくつかの実施形態では、ＷＬＡＮ装置は、無線周波数干渉の検出が生じるまで又はその時間シフトされた相関時間期間の累積時間シフトが最大相関時間期間を超えるまで、時間領域のサンプルの収集と、時間シフトされた相関時間期間にわたる相互相関の実行とを繰り返してもよい。
【００１８】
典型的な実施形態では、２つの相関ピークは、ＯＦＤＭシンボルの時間期間に対応する６６．７マイクロ秒だけ離れる（当業者には理解されるだろうように、いくつかの実施形態では、測定された実際の相関ピークの間隔は、時間領域サンプリング、タイミングループなどによって、上で示した６６．７マイクロ秒から若干変動し得る）。十分な大きさかつ適切な時間間隔の２つの相関ピークが検出されると、ＷＬＡＮ装置は、無線周波数信号サンプルが収集された無線周波数チャネルを、ＬＴＥセルラシステムが使用していると判定することができる。いくつかの実施形態では、ＷＬＡＮ装置は、ＷＬＡＮ通信に対する無線周波数干渉を制限するために、ＬＴＥセルラ伝送が予定されていないか、生じることが知られていないかの少なくともいずれかの他の無線周波数チャネルを選択すること、又は、ある時間期間の間、ＷＬＡＮパケットの送信若しくは受信またはその両方を遅延させること、の少なくともいずれかによって、無線周波数干渉軽減技術を行うことができる。ＷＬＡＮ装置は、ＬＴＥセルラシステム干渉源の存在を検出するために、クリアチャネルの評価又は、例えば多元接続に対応するためにＣＳＭＡ機構又は他の干渉と衝突との少なくともいずれかを検出するＷＬＡＮ装置によって使用される機構の一部として、１つ以上の無線周波数チャネルがＷＬＡＮ装置によって送信時間期間と受信時間期間との少なくともいずれかの前に評価される、他の同様の手順の一部として、受信無線周波数信号サンプルの相関を行うことができる。
【００１９】
十分な大きさの２つの相関ピーク又は必要な時間間隔が測定されない場合、ＷＬＡＮ装置は、例えば、第１の無線周波数信号のセットのサンプリング時間ウィンドウをいくつかの時間サンプルからサイクリックプリフィックスの長さまでに分布し得るある時間オフセットだけスライドして、相互相関を繰り返すことによって、無線周波数信号サンプルの新しいセットを用いて相互相関を繰り返すことができる。ある実施形態では、時間オフセットは、サイクリックプリフィックスの長さの半分を超えない時間期間に対応する。いくつかの実施形態では、連続する各サンプリング時間ウィンドウの前のサンプリング時間ウィンドウに対する時間オフセットは、サンプリング時間ウィンドウの長さより小さい。いくつかの実施形態では、時間オフセットは、サンプリング時間ウィンドウの長さの半分より小さい。ある実施形態では、サンプルセットの時間ウィンドウのそれぞれは、サイクリックプリフィックスに対して予期される時間期間、例えばＬＴＥセルラ伝送で用いられるＯＦＤＭシンボルに関連付けられた４．７マイクロ秒と５．２マイクロ秒との少なくともいずれか、にわたりうる。ＷＬＡＮ装置は、ＬＴＥセルラ伝送のサイクリックプリフィックスがいつ生じうるかを知らないかもしれないため、ＷＬＡＮ装置は、サイクリックプリフィックス長にわたる無線周波数信号サンプルを繰り返し収集して、サイクリックプリフィックスを探索しようとするために相互相関を繰り返すことができる。少なくとも１つのＬＴＥのＯＦＤＭシンボルに対応する時間期間にわたる無線周波数信号サンプルの複数のセットを用いて相互相関を行った後に十分な大きさ及び時間間隔の空きを有する２つのピークが発見されない場合、ＷＬＡＮ装置は、無線周波数チャネルはＬＴＥセルラシステムによって現在占められていない（若しくは、ＬＴＥセルラシステムが、例えばＷＬＡＮ装置のノイズフロアに対して、検出できないレベルで通信している、又はその両方である)と判定することができる。ここで上述したように、ＷＬＡＮ装置は、ある無線周波数チャネルに対して受信無線周波数信号をサンプリングし、受信サンプルにおける繰り返されるパターンの存在（すなわち、ＯＦＤＭシンボルのサイクリックプリフィックスの存在、サイクリックプリフィックスはそのＯＦＤＭシンボルの一部を繰り返す）を検出するために、その受信無線周波数信号サンプルの相互相関を実行するが、ＷＬＡＮ装置は、ＬＴＥのＯＦＤＭシンボルの存在と、共通して共有されたか、重なっているかの少なくともいずれかの無線周波数チャネルにおける潜在的な干渉を検出するために、そのＬＴＥのＯＦＤＭシンボルを復号することは要求されない。
【００２０】
いくつかの実施形態では、無線周波数干渉が検出されると、ＷＬＡＮ装置は、少なくともある時間の期間、例えば、ランダム長又は固定長のバックオフ時間期間の間、又は、無線周波数チャネルに無線周波数干渉がないと判定するまで、無線周波数干渉が検出されている無線周波数チャネルでの通信を抑制することができる。いくつかの実施形態では、ＷＬＡＮ装置は、例えば、無線周波数チャネルにおける無線周波数干渉の存在と不存在との少なくともいずれかの指標を記憶することにより、１つ以上の無線周波数帯域の無線周波数チャネルに対する無線周波数干渉検出の記録を保持することができる。いくつかの実施形態では、ＷＬＡＮ装置は、無線周波数干渉が検出されない場合、無線周波数干渉を有すると前に示された無線周波数チャネルでの通信を許可し得る。
【００２１】
図３は、ＬＴＥセルラシステムのための典型的なフレーム構造３００を図解している。ＬＴＥフレームは、１ｍｓ長のサブフレームを形成するタイムスロットのペアを伴って、全体で１０ミリ秒（ｍｓ）にわたる、それぞれが０．５ｍｓにわたる２０個の連続したタイムスロットに編成されうる。各５００マイクロ秒のタイムスロットは、送信時にその対応するＯＦＤＭシンボルの前に繰り返されて各ＯＦＤＭシンボルの尾部を有し、それによりＯＦＤＭシンボルの最初に付加されるサイクリックプリフィックスを形成する、７個のＯＦＤＭシンボルを含みうる。そのタイムスロットの２番目から７番目のＯＦＤＭシンボルに対しては、４．７マイクロ秒にわたるサイクリックプリフィックスが用いられうる一方で、タイムスロットの最初のＯＦＤＭシンボルに対しては、５．２マイクロ秒にわたるサイクリックプリフィックスが用いられうる。図３に図解するように、あるＯＦＤＭシンボルのサイクリックプリフィックスの、例えば、最初のＯＦＤＭシンボルのＣＰ１の、サイクリックプリフィックスの前と後との少なくともいずれかの時間期間のサンプルとの相互相関は、繰り返されるサイクリックプリフィックスパターンの存在を検出するのに用いられうる。サイクリックプリフィックスは、２つのサイクリックプリフィックスの繰り返されるバージョンのそれぞれ、すなわち、ＯＦＤＭシンボルを開始するサイクリックプリフィックスとそのＯＦＤＭシンボルを終えるＯＦＤＭシンボルの同一の繰り返された部分、と相関し、そのＯＦＤＭシンボルの残り（ランダムデータ）のサンプル（又は、そのＯＦＤＭシンボルに先行する又は続くそのサイクリックプリフィックス部分を含むＯＦＤＭシンボルのサンプル）とは無相関でありうる。サイクリックプリフィックスとそれ自身の相関が相互相関におけるピーク値を与えうる一方で、無相関の結果は「ランダムノイズ」として現れうる（サイクリックプリフィックスとそれ自身との相関は、自己相関作用に対するピークと考えることもできるが、サイクリックプリフィックス長でありうるサンプリング時間ウィンドウのＯＦＤＭシンボル長でありうるより広いシンボル時間ウィンドウとの相関を参照するために、ここではより一般的な用語である相互相関を用いている）。
【００２２】
サイクリックプリフィックスは、ＯＦＤＭシンボルの「有用な」部分に対応する時間期間だけ、例えば、図３に示されるように６６．７マイクロ秒だけ離れている、ＯＦＤＭシンボルの最初と最後とに現れるため、相互相関の最初と２番目のピークは、６６．７マイクロ秒だけ（すなわち、ＯＦＤＭシンボルの「有用な」部分の長さに等しい時間期間だけ）離れて出現し得る。ＷＬＡＮ装置は、少なくともサイクリックプリフィックスの長さに等しい時間期間にわたる無線周波数信号サンプルのセットを収集し、収集されたサンプルのセットの、その収集されたセットに先行するか続くかの少なくともいずれかの無線周波数信号サンプルとの相互相関を実行することができる。ＷＬＡＮ装置は、相互相関結果においてピークを探索することができ、発見されたピークが、例えばピーク閾値と比して、十分な大きさと、それらの間の特定の時間間隔とを有する場合、ＷＬＡＮ装置は、無線周波数信号サンプルが収集された無線周波数チャネルをＬＴＥ通信システムが共有していると判定することができる。ＷＬＡＮ装置は、ＬＴＥ信号を復号する必要なく、ＬＴＥ通信システムの存在を判定することができる。
【００２３】
ＷＬＡＮ装置は、ＯＦＤＭシンボルの間の境界の正確なタイミングを知らない場合があるため、ＷＬＡＮ装置は、ＬＴＥ通信システムの存在を示す相互相関の２つのピークを検出するか、ＬＴＥ通信システムが現在サンプリングされる無線周波数チャネルを占めていないか、重なっていないかの少なくともいずれかであることを判定するまで、サイクリックプリフィックス長にわたるサンプル時間期間を繰り返し収集し、繰り返し相互相関を実行することができる。ＷＬＡＮ装置は、いくつかの実施形態では、少なくともＯＦＤＭシンボルの長さまで広がる時間期間の間、又は、少なくとも１つのＯＦＤＭシンボルとその「繰り返された」サイクリックプリフィックスとが、存在するのであれば検出されることを確実とするのに十分な時間の間、相互相関を実行することができる。ピーク閾値を超えておりＯＦＤＭシンボルの時間期間だけ相隔たっている相互相関ピークのペアを検出すると、ＷＬＡＮ装置は、ＯＦＤＭシンボルの境界の位置を確認するために、例えば、１つ以上の追加のＯＦＤＭシンボルの時間期間のそれぞれにおけるサイクリックプリフィックスの繰り返される存在の検出により、続く時間期間において相互相関を繰り返すことができる。いくつかの実施形態では、ＷＬＡＮ装置は、第１及び第２のピーク値の比が比の閾値を超えるかを判定するために、第２のピーク値を第１のピーク値と比較する。典型的な実施形態では、比の閾値は、０．８以上となるように選択される。いくつかの実施形態では、例えば平均値（average）、平均（mean）、又は相関ピーク値を除く相関値の値域によるものなどの相関ピーク値以外の相関値により示される、「バックグラウンドの」平均「無相関」雑音／干渉レベルを相関が超えるかを判定するために、その相関のピークが、正規化されうる電力閾値レベルと比較される。
【００２４】
図４は、ＷＬＡＮ装置が、その受信器を通じて、ＷＬＡＮ装置が通信を行い得る無線周波数チャネルを占めるか、重なるかとの少なくともいずれかであるかを判定するために、無線周波数信号サンプルを収集及び処理するために「起動」する図４００を図解している。ＷＬＡＮ装置は、ＬＴＥ通信システムに対して「非同期で」動作することができ、このため、ＷＬＡＮ装置は、起動すると、ＬＴＥ通信システムの伝送のＯＦＤＭシンボルのサイクリックプリフィックスと部分的に、完全に重畳し得るし、又は全く重畳しないかもしれない、長さＴintの時間間隔にわたる無線周波数信号サンプルウィンドウを収集することができる。ＷＬＡＮ装置は、ＬＴＥのＯＦＤＭシンボルが開始して終了する時を知らない可能性があり、したがって、無線周波数信号サンプルウィンドウは、１つ以上のＯＦＤＭシンボル内のどこからか一連のデータを収集することができる。時間間隔Ｔintは、少なくとも、ＬＴＥ通信システムのＯＦＤＭシンボルのためのサイクリックプリフィックスに対応する時間期間にわたりうる。ＷＬＡＮ装置がサイクリックプリフィックスを含まない無線周波数信号サンプルウィンドウのデータを収集すると、第２の相互相関ピークが現れないかもしれない（無線周波数信号サンプルの「サイクリックプリフィックス長」のセットが相関する無線周波数信号サンプルのセットが「サイクリックプリフィックス長」のセットを含む場合、少なくとも１つの相互相関ピークは、すなわち、無線周波数信号サンプルの「サイクリックプリフィックス長」のセットそれ自身に対して、必ず生じる）。
【００２５】
図４に示されるように、相互相関＃１は、十分な大きさの、そして、要求された時間期間だけ分離された２つのピークが相互相関結果において現れないかもしれない、サイクリックプリフィックスを含まない長さＴintの無線周波数信号サンプルウィンドウを用いることによって実行されうる。ＷＬＡＮ装置は、続いて、無線周波数信号サンプルウィンドウを、Ｔoffsetのオフセット時間期間だけオフセットして、相互相関を繰り返すことができる。いくつかの実施形態では、オフセット時間期間Ｔoffsetは、サンプリングウィンドウ長Ｔint以下である。相互相関＃２は、ＷＬＡＮ装置が起動する前のＯＦＤＭシンボルの最初のサイクリックプリフィックスに用いられるデータのセットに部分的にわたる、無線周波数信号サンプルウィンドウを用いて行われうる。このように、相互相関＃２も、対応する繰り返されるサイクリックプリフィックスが過去において（すなわち、ＷＬＡＮ装置が無線周波数信号サンプルウィンドウを収集するために起動する前の時点において）生じているため、２つのピークを検出する結果とはなりえない。相互相関＃３は、サイクリックプリフィックスに用いられるデータのセットに完全にわたる無線周波数信号サンプルウィンドウを用いて実行されうるが、（ＯＦＤＭシンボルの最初における）その対応するサイクリックプリフィックスの受信がより早い時間期間からでありうるため、相互相関＃３も、２つの相互相関ピークを検出することとはならない。相互相関＃４は、第１のＯＦＤＭシンボルの立下り部分と第２のＯＦＤＭシンボルの立ち上がり部分とにわたるデータのセットを用いて行われうる。相互相関＃４は、無線周波数信号サンプルウィンドウの別の一部が前のＯＦＤＭシンボルからのデータをカバーする一方で、無線周波数信号サンプルウィンドウの一部のみがＯＦＤＭシンボルの１つのサイクリックプリフィックスで用いられるデータをカバーするため、第１のピークに比して不十分な大きさの第２のピークをもたらしうる。相互相関＃５は、ＯＦＤＭシンボルのサイクリックプリフィックスに対するデータのセットに完全に重なる時間ウィンドウを描いており、相互相関結果において２つのピークを与えうる。ＬＴＥ信号の受信信号強度がノイズフロアに比して（又は、ＷＬＡＮ装置によって受信される他のノイズに対して、又は、「オフピーク」の相互相関結果を用いて決定される「基礎」レベルに対して、の少なくともいずれかに対して）十分に高い場合、十分な大きさを有し（サイクリックプリフィックスのために付加された時間を除く）ＯＦＤＭシンボル長に対応する、例えばＯＦＤＭシンボル長に等しい、時間期間だけ離れた２つの相互相関ピークが検出されうる。ＯＦＤＭシンボルの２つの相互相関ピークが検出される場合、ＷＬＡＮ装置は、要求される大きさ（閾値レベルより上）および時間間隔の相互相関ピークの同じパターンが生じることを確認するために、１つ以上の追加の続くＯＦＤＭシンボルに対する相互相関を繰り返すことができる。少なくとも２つの異なる無線周波数信号サンプルウィンドウを用いた繰り返しの相互相関の試行の後に相互相関においてピークのペアが検出されない場合、ＷＬＡＮ装置は、スリープに戻るか、サンプリングされた無線周波数チャネルがＬＴＥシステムからの干渉を含まないと判定するか、の少なくともいずれかを行い得る。
【００２６】
無線通信システムは、大きく可変なチャネル特性の影響を受けやすい場合があり、いくつかの実施形態では、ＷＬＡＮ装置は、ＬＴＥシステムからの無線周波数干渉の存在を判定する際に、チャネル変動を考慮することができる。無線周波数チャネルは、ＬＴＥシステムのサイクリックプリフィックスを含む無線周波数信号の「ばらつき」をもたらす遅延電力プロファイルを含みうる。このように、いくつかの例では、ＬＴＥシステムのサイクリックプリフィックスのサンプルは、ＷＬＡＮ装置によって受信されるときに、サイクリックプリフィックス長の幅より大きい時間間隔にわたって広がり得る、すなわち無線周波数チャネルの状態によって導かれる遅延スプレッドによって拡張されうる。「広がった」サイクリックプリフィックスの相互相関は、互いに隣接する１つ以上の時間シフトにわたって、ピークのペアの多数のインスタンスをもたらし得る。いくつかの実施形態では、ＷＬＡＮ装置は、相互相関作用におけるピークの２つのセットがＯＦＤＭシンボルに対応する時間期間だけ、例えば６６．７マイクロ秒の分離だけ離れて現れるかを判定することができる。雑音と（ＬＴＥ信号以外からの）干渉との少なくともいずれかが非常に高い場合、相互相関により与えられる処理利得は、サイクリックプリフィックスの相関のピークを検出可能とするには不十分たりえる。典型的なＷＬＡＮシステムに対して、平均信号対干渉及び雑音比（ＳＩＮＲ）が、約−８５ｄＢｍのＬＴＥ受信信号電力レベルに対応し得る約１０ｄＢ以上である場合、相互相関の２つのピークが、約２０−２２ＭＨｚの帯域幅にわたる無線周波数チャネルに対して検出されうる。
【００２７】
典型的なＬＴＥシステムでは、ＯＦＤＭサブキャリア周波数間隔は１５ｋＨｚにわたる一方で、典型的なＷＬＡＮシステムでは、ＯＦＤＭサブキャリア周波数間隔は、約３１２．５ｋＨｚにわたり、したがって、ＬＴＥのＯＦＤＭシンボルのそれぞれは、２０個のＷＬＡＮ  ＯＦＤＭシンボルに略等しい時間期間にわたる。ＷＬＡＮシステムの受信器フロントエンドにおける約２から４のオーバーサンプリングレートを用いることは、ＬＴＥサンプルの相互相関に対して十分な分解能を与えうる。ＷＬＡＮシステムによるＬＴＥシステムの検出は、少なくとも１つのＬＴＥのＯＦＤＭシンボル期間にわたる時間期間を要求する場合があり、ＬＴＥシステムの存在を確認するために、例えば複数のＬＴＥのＯＦＤＭシンボルにわたる１つのＬＴＥタイムスロットまでの、複数のＬＴＥのＯＦＤＭシンボル期間を要求する場合がある。ここで説明される方法及び装置は、ＷＬＡＮ装置がＬＴＥ信号を復号することを要求せず、むしろ、特定の長さの、そして、ＬＴＥシステムにおけるＯＦＤＭシンボルによって用いられるような、サイクリックプリフィックスのコピーの間の間隔を有するサイクリックプリフィックスの存在を検出することを要求する。ＷＬＡＮ信号を受信するのに用いられる同一の無線回路は、ＬＴＥ信号をサンプリングするのにも用いられてもよく、受信された無線周波数信号サンプルの相互相関は、デジタルハードウェアにおいて実行されてもよい。いくつかの実施形態では、相互相関は、少なくとも部分的に、無線ベースバンド回路によって実行される。いくつかの実施形態では、相互相関は、少なくとも部分的に、デジタルハードウェアブロックによって実行される。いくつかの実施形態では、無線周波数信号サンプルウィンドウの異なる時間シフトに対する無線周波数信号サンプルの相互相関は、少なくとも部分的に、並列に実行される。いくつかの実施形態では、無線周波数サンプルウィンドウの異なる時間シフトに対する無線周波数信号サンプルの相互相関は、例えば相関フィルタバンクを用いて、少なくとも一部において並列で実行される。
【００２８】
図５は、いくつかの実施形態による、ＬＴＥ無線通信システムからの無線周波数干渉を検出する、ＷＬＡＮ無線通信システムによる典型的な方法のフローチャート５００を図解している。第１のステップ５０８では、ＷＬＡＮ装置、例えば、ＷＬＡＮクライアント装置とＷＬＡＮアクセスポイントとの少なくともいずれかは、変数ｎを、ゼロオフセット値を有する初期サンプルウィンドウに対応し得る、ゼロの値に初期化する。続くステップ５１０では、ＷＬＡＮ装置の受信器は、時間間隔Ｔintにわたる時間ウィンドウで、時間領域の無線周波数信号サンプルの第１のセットを収集しうる。いくつかの実施形態では、時間領域の無線周波数信号サンプルの第１のセットは、例えば、ＷＬＡＮ装置が他のＷＬＡＮ装置に関連付けられている場合、無線周波数チャネルを用いて、ＷＬＡＮ装置が使用する通信に関連付けられた無線周波数チャネルに対して収集される。いくつかの実施形態では、時間領域の無線周波数信号サンプルの第１のセットは、例えば、将来の通信のためと、通信する無線周波数チャネルを探索する際と、の少なくともいずれかにおいて、ＷＬＡＮ装置による通信が生じることが予期される無線周波数チャネルに対して収集される。いくつかの実施形態では、時間領域の無線周波数信号サンプルの第１のセットは、無線周波数スキャニング処理の一部として、無線周波数チャネルに対して収集される。典型的な実施形態では、ＷＬＡＮの時間ウィンドウの時間間隔Ｔintは、ＬＴＥ無線通信システムのＯＦＤＭシンボルのためのサイクリックプリフィックスに対応する時間期間にわたる。いくつかの実施形態では、時間間隔Ｔintに対する値は、４．５から５．５マイクロ秒に分布する。いくつかの実施形態では、時間間隔Ｔintに対する値は、約４．７マイクロ秒と５．４マイクロ秒との少なくともいずれかである。いくつかの実施形態では、時間間隔Ｔintに対する値は、少なくとも、ＬＴＥ無線通信システムのＯＦＤＭシンボルのためのサイクリックプリフィックス長に等しい。ステップ５１２では、ＷＬＡＮ装置は、時間ウィンドウの収集された無線周波数信号サンプルの第１のセットの、ＬＴＥ無線通信システムのための少なくとも１つのＯＦＤＭシンボルにわたる時間期間Ｔsymにおいて受信された第２のセットの無線周波数信号サンプルとの相互相関を実行する。いくつかの実施形態では、時間期間Ｔsymに対する値は、６６．７マイクロ秒以上である。いくつかの実施形態では、無線周波数信号サンプルの第２のセットは、無線周波数信号サンプルの第１のセットの少なくとも一部を含む。いくつかの実施形態では、無線周波数信号サンプルの第２のセットは、無線周波数信号サンプルの第１のセットの少なくとも全てを含む。ステップ５１４では、ＷＬＡＮ装置は、電力閾値レベルを超える第２の相互相関ピークが生じるかを判定するために、相互相関値を比較する（第１の相互相関ピークは、無線周波数信号サンプルの第１のセットと、無線周波数信号サンプルの第１のセットと重なり得るより広い時間期間Ｔsymにわたる無線周波数信号サンプルの第２のセットの一部としてのそれ自身とが相関する時に、必ず生じうる）。第２の相互相関ピークが生じない場合、ＷＬＡＮ装置は、ステップ５２４へ進めて、完了した相互相関のセットＬＴＥ無線通信システムのための少なくとも１つのＯＦＤＭシンボルにわたる時間期間Ｔsymを超えるかを判定する。ステップ５２４では、ＷＬＡＮ装置は、少なくとも１つのＯＦＤＭシンボルの全体の時間期間にわたるサンプルウィンドウが相互相関に用いられているかを判定する。ＷＬＡＮ装置が、少なくともＯＦＤＭシンボルの全体の時間期間が確認され、相互相関ピークのペアが検出されなかったと判定した場合、ステップ５３０において、ＷＬＡＮ装置は、ＬＴＥ無線通信システムが、現在、サンプリングされた無線周波数チャネルを占めていないと判定することができる。１つのＯＦＤＭシンボルの全体の時間期間より短い期間が相互相関に用いられている場合、ＷＬＡＮ装置は、ステップ５２６で変数ｎをインクリメントし、ステップ５２８でＷＬＡＮ装置は、無線周波数信号サンプルウィンドウを、Ｔoffsetの時間期間だけシフトする。いくつかの実施形態では、時間期間Ｔoffsetは、少なくとも１つのＬＴＥサンプルの時間期間に対応する。いくつかの実施形態では、時間期間Ｔoffsetは、ＬＴＥシステムのサイクリックプリフィックスだけにわたる時間期間以下の長さである。いくつかの実施形態では、Ｔoffset≦Ｔintである。ＷＬＡＮ装置は、第２の相互相関ピークが電力閾値を超えない場合、相互相関に使用される無線周波数信号サンプルのセットの無線周波数信号サンプルウィンドウを、オフセット時間期間だけ「スライド」し、相互相関を繰り返すことにより、ステップ５１０から５１４を繰り返す。第２の相互相関ピークが電力閾値を超える場合、ステップ５１４で判定されるように、ＷＬＡＮ装置は、ステップ５１６において、第１の相互相関ピークに対する相互相関の電力レベルに対する第２の相互相関ピークに対する相互相関の電力レベルの比が比の閾値を超えるかを判定する。いくつかの実施形態では、第２の相互相関ピークの電力レベル値は、第１の相互相関ピークの測定された電力レベル値の少なくとも８０％以上でなければならない。比が比の閾値を超えない場合、ＷＬＡＮ装置は、ステップ５２４へ進める。比が比の閾値を超える場合、ＷＬＡＮ装置は、ステップ５１８において、第１の相互相関ピークと第２の相互相関ピークとの間の時間間隔がＬＴＥ無線通信システムのためのＯＦＤＭシンボルの時間期間に対応するかを判定することができる。相互相関ピークの間の時間期間がＯＦＤＭシンボル時間、例えばＴsym＝６６．７マイクロ秒に等しくない場合、ＷＬＡＮ装置は、ステップ５２４へ進むことができる。相互相関ピーク間の時間期間がＯＦＤＭシンボル時間に等しい場合、ＷＬＡＮ装置は、ステップ５２０において、ＬＴＥ無線通信システムがサンプリングされた無線周波数チャネルにおいて送信したことを検出することができる。ステップ５２２において、ＷＬＡＮ装置は、ＬＴＥ無線通信システムからの無線周波数共存干渉の存在を補償することができる。いくつかの実施形態では、ＷＬＡＮ装置は、ＬＴＥ無線通信システムが検出された無線周波数チャネルを、例えば、ランダムの又は固定の時間期間の間、又は、将来のスキャニング動作が無線周波数チャネルにＬＴＥ無線通信システムからの周波数共存干渉がないことを検出するまで、避ける。例えば、いくつかの実施形態では、図５に図解されている方法は、ＷＬＡＮ装置によって実行されるキャリアセンス多元接続（ＣＳＭＡ）プロトコルの中での「クリアな」無線周波数チャネルの評価（ＣＣＡ）の一部として実行されうる。いくつかの実施形態では、ＷＬＡＮ装置が送信すべき１つ以上のデータパケットを有する場合、ＷＬＡＮ装置は、図５に概説されているステップを含みうるＣＣＡを実行してもよい。例えば、ＷＬＡＮ装置によって評価された無線周波数チャネルが占められていない場合、図５のステップ５３０に示されるように、ＷＬＡＮ装置は、１つ以上のデータパケットの全て又は一部を送信することができる。ＷＬＡＮ装置によって評価された無線周波数チャネルが占められている場合、図５のステップ５２０に示されるように、ＷＬＡＮ装置は、１つ以上のパケットの伝送を、例えば、ＣＳＭＡプロトコルとクリアチャネル評価（ＣＣＡ）手順との少なくともいずれかに従って、（例えばランダム又は固定の時間期間の間）延期することができる。いくつかの実施形態では、ＷＬＡＮ装置は、無線周波数チャネルに占められているとマークし、同一の無線周波数帯域において又は他のＷＬＡＮ装置との通信のための異なる無線周波数帯域の中で別の無線周波数チャネルを選択する。いくつかの実施形態では、これは、ＷＬＡＮ装置が移動しようとしている選択された無線周波数チャネルを示す、チャネル切り替えアナウンス（ＣＳＡ）アクションフレームを送信するＷＬＡＮ装置を含みうる。
【００２９】
図６は、いくつかの実施形態にしたがう、ＷＬＡＮクライアント装置とアクセスポイントとの少なくともいずれかに実装されうる装置６００のブロック図を図解している。図６に図解されると共に図６に関して説明されるコンポーネント、装置、又はエレメントは、必須ではなく、ある実施形態ではいくつかが省略されうることが理解されるだろう。さらに、いくつかの実施形態は、図６に図解され、図６に関して説明されるものを超える、さらなる、又は異なるコンポーネント、装置又はエレメントを含みうる。さらに、いくつかの実施形態では、装置６００の１つ以上のコンポーネントは、無線周波数帯域の、例えば複数の無線通信装置間で共有されうる非ライセンス帯域で、無線周波数チャネルにおけるＬＴＥシステムの存在を検出するためのＷＬＡＮクライアントとＷＬＡＮアクセスポイントとの少なくともいずれかの機能を集団で提供し得る、複数の計算装置にわたって分散されうることが理解されるだろう。
【００３０】
いくつかの実施形態では、装置６００は、ここで開示された１つ以上の実施形態に従った動作を実行するように設定可能な処理回路６１０を含みうる。この点で、処理回路６１０は、様々な実施形態に従って装置６００の１つ以上の機能を実行するように、若しくはその実行を制御するように、又はその両方を行うように構成されることができ、したがって、様々な実施形態に従って装置６００の機能を実行する手段を提供し得る。処理回路６１０は、１つ以上の実施形態に従って、データ処理と、アプリケーションの実行と、処理及び管理サービスとの少なくともいずれかを実行するように構成されうる。
【００３１】
いくつかの実施形態では、装置６００又は、処理回路６１０などの、装置６００の一部またはコンポーネントは、それぞれが１つ以上のチップを含みうる１つ以上のチップセットを含んでもよい。したがって、処理回路６１０と装置６００の１つ以上のさらなるコンポーネントとの少なくともいずれかは、いくつかの例では、１つ以上のチップを含むチップセットでの具体物を実装するように構成されうる。装置６００の１つ以上のコンポーネントがチップセットとして具現化されるいくつかの実施形態では、チップセットは、計算装置に実装時、又はそうでなければ動作可能に計算装置に接続されるときに、ＷＬＡＮクライアントとＷＬＡＮアクセスポイントとの少なくともいずれかとして、計算装置が動作することを可能とすることができるものでありうる。
【００３２】
いくつかの実施形態では、処理回路６１０は、プロセッサ６１２を含むことができ、いくつかの実施形態では、図６に示されるもののように、さらに、メモリ６１４を含んでもよい。処理回路６１０は、通信インタフェース６１６と干渉検出モジュール６１８との少なくともいずれかに接続され、又はそうでなければ制御し得る。
【００３３】
プロセッサ６１２は、様々な形態で実現されうる。例えば、プロセッサ６１２は、マイクロプロセッサ、コプロセッサ、コントローラ、又は、例えばＡＳＩＣ（特定用途向け集積回路）、ＦＰＧＡ（フィールドプログラマブルゲートアレイ）、そのいくつかの組み合わせなどのような集積回路を含む、様々な他の計算若しくは処理装置などの、様々な処理ハードウェアベースの手段として実装されうる。単一のプロセッサとして図解されているが、プロセッサ６１２は、複数のプロセッサを含みうることが理解されるだろう。複数のプロセッサは、互いに動作して通信しうると共に、ここで説明される装置６００の１つ以上の機能を実行するように、集合で構成されうる。複数のプロセッサを含む実施形態では、複数のプロセッサは、単一の計算装置として実装されてもよく、または、ＬＴＥ通信システムの無線周波数干渉検出を含むＷＬＡＮクライアント装置とＷＬＡＮアクセスポイントとの少なくともいずれかの機能を集合として提供し得る複数の計算装置に分散されてもよい。いくつかの実施形態では、プロセッサ６１２は、メモリ６１４に記憶されうる又はそうでなければプロセッサ６１２にアクセス可能でありうる命令を実行するように構成されうる。このように、ハードウェアによって構成されようと、ハードウェアとソフトウェアとの組み合わせによって構成されようと、プロセッサ６１２は、しかるべく構成されている間は、様々な実施形態に従って動作を実行可能でありうる。
【００３４】
いくつかの実施形態では、メモリ６１４は、１つ以上のメモリデバイスを含みうる。メモリ６１４は、固定とリムーバブルとの少なくともいずれかのメモリデバイスを含みうる。いくつかの実施形態では、メモリ６１４は、プロセッサ６１２によって実行されうるコンピュータプログラム命令を記憶することができる非一時的コンピュータ可読記憶媒体を提供し得る。この点で、メモリ６１４は、装置６００が１つ以上の例示の実施形態に従う様々な機能を実行することを可能とするための、情報、データ、アプリケーション、命令又は同様のものの少なくともいずれかを記憶するように構成されうる。複数のメモリデバイスを含む実施形態では、その複数のメモリデバイスは、単一の計算装置に実装されてもよいし、ＷＬＡＮクライアント装置又はＷＬＡＮアクセスポイントの、無線周波数干渉検出と軽減との少なくともいずれかを実行する機能を集合で提供し得る複数の計算装置に分散されてもよい。いくつかの実施形態では、装置６００のコンポーネント間で情報を受け渡すための１つ以上のバスを介して、メモリ６１４は、プロセッサ６１２、通信インタフェース６１６又は干渉検出モジュール６１８の１つ以上と通信し得る。
【００３５】
装置６００は、さらに、通信インタフェース６１６を含みうる。通信インタフェース６１６は、他の装置とネットワークとの少なくともいずれかとの通信を可能とする１つ以上のインタフェース機構を含みうる。例えば、通信インタフェース６１６は、装置６００がＷＬＡＮを介して通信することを可能とするように構成されうる。装置６００は、それぞれが、通信プロトコル、例えば、無線通信プロトコルにしたがって通信を提供し得る複数の通信インタフェース６１６を含みうる。様々な例示の実施形態では、通信インタフェース６１６は、例えば、アンテナ（又は複数のアンテナ）、及び、セルラネットワークなどの１つ以上の無線通信ネットワークとの通信を可能とするための対応ハードウェア若しくはソフトウェアまたはその両方、及び、ケーブル、デジタル加入者線（ＤＳＬ）、ＵＳＢ、ＦｉｒｅＷｉｒｅ、イーサネット（登録商標）又は他の有線ネットワーク手法を介した通信に対応するための通信モデム又は他のハードウェア／ソフトウェアの、少なくともいずれかを含みうる。
【００３６】
装置６００は、さらに、干渉検出モジュール６１８を含みうる。干渉検出モジュール６１８は、回路、ハードウェア、非一時的コンピュータ可読媒体（例えばメモリ６１４）に記憶され、処理装置（例えばプロセッサ６１２）によって実行されるコンピュータ可読プログラム命令を含むコンピュータプログラム製品、又はそれらのいくつかの組み合わせなど、様々な手段として実現されうる。いくつかの実施形態では、プロセッサ６１２（又は処理回路６１０）は、干渉検出モジュール６１８を含むことができ、そうでなければ制御することができる。干渉検出モジュール６１８は、ここで説明されたＬＴＥ通信システムからの無線周波数干渉の検出と、１つ以上の例示の実施形態の指示により、ＷＬＡＮクライアントとＷＬＡＮアクセスポイントとの少なくともいずれかによって実行されうる他の機能との少なくともいずれかに対応するように構成されうる。
【００３７】
説明された実施形態の様々な態様、実施形態、実装又は特徴は、別個に又は任意の組み合わせで用いることができる。説明された実施形態の様々な態様は、ソフトウェア、ハードウェア又はハードウェアとソフトウェアとの組み合わせによって実装されうる。説明された実施形態は、非一時的コンピュータ可読媒体上のコンピュータ可読コードとしても実現されうる。非一時的コンピュータ可読媒体は、データを記憶することができ、その後コンピュータシステムによって読み出されうる任意のデータ記憶装置である。コンピュータ可読媒体の例は、読み出し専用メモリ、ランダムアクセスメモリ、ＣＤ−ＲＯＭ、ＨＤＤ、ＤＶＤ、磁気テープ、及び光データ記憶装置を含む。
【００３８】
説明のための前述の説明は、特定の用語を、説明される実施形態の完全な理解を提供するために用いた。しかしながら、当業者には、説明された実施形態を実行するためにはその特定の詳細は必要でないことが理解されるだろう。したがって、特定の実施形態の前述の説明は、実例及び説明の目的で提示されている。それらは、排他的であること、又は、説明された実施形態を、開示された厳密な形式に限定することを意図していない。当業者には、多くの変更及び変形が、上述の教示を考慮して可能であることが理解されるだろう。
【００３９】
本開示にしたがう、システム、方法、装置およびコンピュータプログラム製品の典型的なアプリケーションがここで説明された。これらの例は、説明された実施形態の理解の状況及び補助を加えるためだけに提供されている。したがって、当業者には、説明された実施形態が、これらの特定の詳細のいくつか又は全てを用いずに実行されうることが、理解されるだろう。他の例では、よく知られた処理ステップについては、不必要に開示の実施形態を曖昧にすることを防ぐため、詳細には説明されていない。以下の例が限定として受け止められるべきでないように、他のアプリケーションも可能である。
【００４０】
ここで与えられた詳細な説明において、説明の一部を形成し、説明された実施形態にしたがった特定の実施形態が例示の目的で示される、添付の図面が参照されている。当業者が説明された実施形態を実行することができるように、これらの実施形態が十分詳細に説明されているが、他の実施形態が使われうるように、そして、説明された実施形態の精神及び範囲から離れることなく変更がなされうるように、これらの例は限定的ではないことが理解される。
【図１Ａ】
0005941566.tif 000002
【図１Ｂ】
0005941566.tif 000003
【図１Ｃ】
0005941566.tif 000004
【図１Ｄ】
0005941566.tif 000005
【図１Ｅ】
0005941566.tif 000006
【図２Ａ】
0005941566.tif 000007
【図２Ｂ】
0005941566.tif 000008
【図３】
0005941566.tif 000009
【図４】
0005941566.tif 000010
【図５】
0005941566.tif 000011
【図６】
0005941566.tif 000012